(57)【要約】【課題】  簡易な構成で、割引した駐車料金を精算することをできる駐車場管制装置と駐車場管制方法と駐車場管制プログラムとを提供しようとする。【解決手段】  従来の駐車場管制方法にかわって、入場時刻から精算時刻までの経過時間と前記入場時刻から前記精算時刻までに発生した店舗で発生した利用者使用金額の合計額とに応じて駐車料金を算出する駐車料金算出行程と、精算を完了した前記駐車料金を更新する支払済駐車料金更新行程と、前記支払済駐車料金が前記駐車料金より多いときは前記支払済駐車料金と前記駐車料金との差額である返却駐車料金を返却し前記支払済駐車料金が前記駐車料金より少ないときは前記支払済駐車料金と前記駐車料金との差額である支払駐車料金を支払わせる駐車料金精算行程と、を備えるものとした。【選択図】    図２
2006236168.tif 000002
【特許請求の範囲】
【請求項１】
複数の店舗または営業所に関連づけられ車両を駐車させる駐車場を管制する駐車場管制方法であって、
車両が駐車場に入場した時刻である入場時刻から駐車料金を精算する時刻である精算時刻までの経過時間と前記入場時刻から前記精算時刻までに店舗または営業所で提供された商品または役務とに応じて駐車料金を算出する駐車料金算出行程と、
精算を完了した前記駐車料金である支払済駐車料金を前記駐車料金を精算した都度に更新する支払済駐車料金更新行程と、
前記駐車料金を精算するために前記支払済駐車料金が前記駐車料金より多いときは前記支払済駐車料金と前記駐車料金との差額である返却駐車料金を返却し前記支払済駐車料金が前記駐車料金より少ないときは前記支払済駐車料金と前記駐車料金との差額である支払駐車料金を支払わせる駐車料金精算行程と、
を備えることを特徴とする駐車場管制方法。
【請求項２】
複数の店舗または営業所に関連づけられ車両を駐車させる駐車場を管制する駐車場管制方法であって、
車両が駐車場に入場した時刻である入場時刻から駐車料金を精算する時刻である精算時刻までの経過時間に応じて決定される正規駐車料金から前記入場時刻から前記精算時刻までに発生した店舗または営業所で提供された商品または役務の対価である利用者使用金額の合計額に応じて決定される割引額を差し引いた駐車料金を算出する駐車料金算出行程と、
精算を完了した前記駐車料金である支払済駐車料金を前記駐車料金を精算した都度に更新する支払済駐車料金更新行程と、
精算を完了した前記駐車料金に係る前記割引額を前記駐車料金を精算した都度に更新する割引額更新行程と、
車両が駐車場から出場した際の前記割引額である確定割引額を各々の店舗または各々の営業所で発生した前記利用者使用金額に応じて店舗または営業所を事業として実施する者である運営主体毎に分配する割引額分配行程と、
前記駐車料金を精算するために前記支払済駐車料金が前記駐車料金より多いときは前記支払済駐車料金と前記駐車料金との差額である返却駐車料金を返却し前記支払済駐車料金が前記駐車料金より少ないときは前記支払済駐車料金と前記駐車料金との差額である支払駐車料金を支払わせる駐車料金精算行程と、
を備えることを特徴とする駐車場管制方法。
【請求項３】
前記駐車料金精算行程が店舗または営業所で提供された商品または役務の対価である利用者使用金額を精算する際に同時に実行される、
ことを特徴とする請求項１または請求項２のうちのひとつに記載の駐車場管制方法。
【請求項４】
複数の店舗または営業所に関連づけられ車両を駐車させる駐車場を管制する駐車場管制プログラムであって、
駐車場を管制するコンピュータに、
車両が駐車場に入場した時刻である入場時刻から駐車料金を精算する時刻である精算時刻までの経過時間と前記入場時刻から前記精算時刻までに店舗または営業所で提供された商品または役務とに応じて駐車料金を算出する駐車料金算出機能と、
精算を完了した前記駐車料金である支払済駐車料金を前記駐車料金を精算した都度に更新する支払済駐車料金更新機能と、
前記駐車料金を精算するために前記支払済駐車料金が前記駐車料金より多いときは前記支払済駐車料金と前記駐車料金との差額である返却駐車料金を返却し前記支払済駐車料金が前記駐車料金より少ないときは前記支払済駐車料金と前記駐車料金との差額である支払駐車料金を支払わせる駐車料金精算機能と、
を実現させる、
ことを特徴とする駐車場管制プログラム。
【請求項５】
複数の店舗または営業所に関連づけられ車両を駐車させる駐車場を管制する駐車場管制プログラムであって、
駐車場を管制するコンピュータに、
車両が駐車場に入場した時刻である入場時刻から駐車料金を精算する時刻である精算時刻までの経過時間に応じて決定される正規駐車料金から前記入場時刻から前記精算時刻までに発生した店舗または営業所で提供された商品または役務の対価である利用者使用金額の合計額に応じて決定される割引額を差し引いた駐車料金を算出する駐車料金算出機能と、
精算を完了した前記駐車料金である支払済駐車料金を前記駐車料金を精算した都度に更新する支払済駐車料金更新機能と、
精算を完了した前記駐車料金に係る前記割引額を前記駐車料金を精算した都度に更新する割引額更新機能と、
車両が駐車場から出場した際の前記割引額である確定割引額を各々の店舗または各々の営業所で発生した前記利用者使用金額に応じて店舗または営業所を事業として実施する者である運営主体毎に分配する割引額分配機能と、
前記駐車料金を精算するために前記支払済駐車料金が前記駐車料金より多いときは前記支払済駐車料金と前記駐車料金との差額である返却駐車料金を返却し前記支払済駐車料金が前記駐車料金より少ないときは前記支払済駐車料金と前記駐車料金との差額である支払駐車料金を支払わせる駐車料金精算機能と、
を実現させる、
ことを特徴とする駐車場管制プログラム。
【請求項６】
前記駐車料金精算機能を店舗または営業所で提供された商品または役務の対価である利用者使用金額を精算する際に同時に実現させる、
ことを特徴とする請求項４または請求項５のうちのひとつに記載の駐車場管制プログラム。
【請求項７】
複数の店舗または営業所に関連づけられ車両を駐車させる駐車場を管制する駐車場管制装置であって、
車両が駐車場に入場した時刻である入場時刻から駐車料金を精算する時刻である精算時刻までの経過時間と前記入場時刻から前記精算時刻までに店舗または営業所で提供された商品または役務とに応じて駐車料金を算出する駐車料金算出手段と、
精算を完了した前記駐車料金である支払済駐車料金を前記駐車料金を精算した都度に更新する支払済駐車料金更新手段と、
前記駐車料金を精算するために前記支払済駐車料金が前記駐車料金より多いときは前記支払済駐車料金と前記駐車料金との差額である返却駐車料金を返却し前記支払済駐車料金が前記駐車料金より少ないときは前記支払済駐車料金と前記駐車料金との差額である支払駐車料金を支払わせる駐車料金精算手段と、
を備えることを特徴とする駐車場管制装置。
【請求項８】
複数の店舗または営業所に関連づけられ車両を駐車させる駐車場を管制する駐車場管制装置であって、
車両が駐車場に入場した時刻である入場時刻から駐車料金を精算する時刻である精算時刻までの経過時間に応じて決定される正規駐車料金から前記入場時刻から前記精算時刻までに発生した店舗または営業所で提供された商品または役務の対価である利用者使用金額の合計額に応じて決定される割引額を差し引いた駐車料金を算出する駐車料金算出手段と、
精算を完了した前記駐車料金である支払済駐車料金を前記駐車料金を精算した都度に更新する支払済駐車料金更新手段と、
精算を完了した前記駐車料金に係る前記割引額を前記駐車料金を精算した都度に更新する割引額更新手段と、
車両が駐車場から出場した際の前記割引額である確定割引額を各々の店舗または各々の営業所で発生した前記利用者使用金額に応じて店舗または営業所を事業として実施する者である運営主体毎に分配する割引額分配手段と、
前記駐車料金を精算するために前記支払済駐車料金が前記駐車料金より多いときは前記支払済駐車料金と前記駐車料金との差額である返却駐車料金を返却し前記支払済駐車料金が前記駐車料金より少ないときは前記支払済駐車料金と前記駐車料金との差額である支払駐車料金を支払わせる駐車料金精算手段と、
を備えることを特徴とする駐車場管制装置。
【請求項９】
前記駐車料金精算手段が、店舗または営業所で提供された商品または役務の対価である利用者使用金額を精算する精算端末機である、
ことを特徴とする請求項７または請求項８のうちのひとつに記載の駐車場管制装置。
【発明の詳細な説明】
【技術分野】
【０００１】
本発明は、複数の店舗または営業所に関連づけられ車両を駐車させる駐車場を管制する駐車場管制方法と駐車場管制装置と駐車場管制プログラムとに係る。特に、駐車料金を割り引く手順に特徴のある駐車場管制方法と駐車場管制装置と駐車場管制プログラムとに関する。
【背景技術】
【０００２】
駐車場に車両を駐車させた利用者が、その駐車場と契約をした店舗または営業所で品物や役務を提供され、その対価を支払った場合に、支払い金額に応じて駐車料金を割り引かれる特典を得ることができる。
最も一般的な方法では、利用者が駐車場に入場した際に入場時刻を刻印した駐車券を発行される。利用者が商店または営業所で支払いをした際に領収書を受け取る。車両を駐車場から出す際に、利用者が駐車券と領収書とを提示すると、領収書に記載された領収金額に応じて駐車料金がゼロになったり正規駐車料金から割引額が差し引かれた金額を支払う。
この方法では、駐車場の出口が渋滞することがある。
【０００３】
他の方法では、店舗や営業所と駐車場との経路の途中に事前精算機を設ける。店舗や営業所は、利用者に領収金額に応じた割引券を発行する。利用者は、事前精算機に駐車券と割引券を投入して、割り引かれた駐車料金を支払う。
この方法では、利用者が事前精算をしない場合は、駐車場の出口が渋滞する不具合が発生することがある。
また、利用者が持っている割引券を投入せずに正規の駐車料金を支払ってしまうと、事後に駐車料金の精算をやり直すことができない。
また、事前精算機から現金の回収をする作業が必要であるので、店舗や営業所が大規模に集合した地域では、複数の事前精算機を置くために、駐車場管理業務が多くなる。
【０００４】
他の方法では、店舗や営業所の精算端末機に事前精算の機能を付加して、精算端末機で駐車料金の精算をおこなうアイデアが検討されている。
店舗や営業所で利用者が支払いをした際に、駐車料金の事前精算を行なう。
割引額を支払い金額に応じて変動させる駐車料金の割引方法を採用した駐車場では、最初に小額の支払いをして駐車料金を事前精算してしまうと、その後で高額の支払いをしても高額の支払いに見合った割引を受けることができなくなる。
【０００５】
【特許文献１】特開平７−２４４７５６号
【特許文献２】特開平９−２７４６７３号
【特許文献３】特開平９−２７４６７４号
【特許文献４】特開平９−２８８７４９号
【特許文献５】特開２００１−１８８９２８号
【特許文献６】特開２００２−３５８５４５号
【発明の開示】
【発明が解決しようとする課題】
【０００６】
本発明は以上に述べた問題点に鑑み案出されたもので、簡易な構成で、割引した駐車料金を精算することをできる駐車場管制装置と駐車場管制方法と駐車場管制プログラムとを提供しようとする。
【課題を解決するための手段】
【０００７】
上記目的を達成するため、本発明に係る複数の店舗または営業所に関連づけられ車両を駐車させる駐車場を管制する駐車場管制方法を、車両が駐車場に入場した時刻である入場時刻から駐車料金を精算する時刻である精算時刻までの経過時間と前記入場時刻から前記精算時刻までに店舗または営業所で提供された商品または役務とに応じて駐車料金を算出する駐車料金算出行程と、精算を完了した前記駐車料金である支払済駐車料金を前記駐車料金を精算した都度に更新する支払済駐車料金更新行程と、前記駐車料金を精算するために前記支払済駐車料金が前記駐車料金より多いときは前記支払済駐車料金と前記駐車料金との差額である返却駐車料金を返却し前記支払済駐車料金が前記駐車料金より少ないときは前記支払済駐車料金と前記駐車料金との差額である支払駐車料金を支払わせる駐車料金精算行程と、を備えるものとした。
【０００８】
上記目的を達成するため、本発明に係る複数の店舗または営業所に関連づけられ車両を駐車させる駐車場を管制する駐車場管制プログラムを、駐車場を管制するコンピュータに、車両が駐車場に入場した時刻である入場時刻から駐車料金を精算する時刻である精算時刻までの経過時間と前記入場時刻から前記精算時刻までに店舗または営業所で提供された商品または役務とに応じて駐車料金を算出する駐車料金算出機能と、精算を完了した前記駐車料金である支払済駐車料金を前記駐車料金を精算した都度に更新する支払済駐車料金更新機能と、前記駐車料金を精算するために前記支払済駐車料金が前記駐車料金より多いときは前記支払済駐車料金と前記駐車料金との差額である返却駐車料金を返却し前記支払済駐車料金が前記駐車料金より少ないときは前記支払済駐車料金と前記駐車料金との差額である支払駐車料金を支払わせる駐車料金精算機能と、を実現させる、ものとした。
【０００９】
上記目的を達成するため、本発明に係る複数の店舗または営業所に関連づけられ車両を駐車させる駐車場を管制する駐車場管制装置を、車両が駐車場に入場した時刻である入場時刻から駐車料金を精算する時刻である精算時刻までの経過時間と前記入場時刻から前記精算時刻までに店舗または営業所で提供された商品または役務とに応じて駐車料金を算出する駐車料金算出手段と、精算を完了した前記駐車料金である支払済駐車料金を前記駐車料金を精算した都度に更新する支払済駐車料金更新手段と、前記駐車料金を精算するために前記支払済駐車料金が前記駐車料金より多いときは前記支払済駐車料金と前記駐車料金との差額である返却駐車料金を返却し前記支払済駐車料金が前記駐車料金より少ないときは前記支払済駐車料金と前記駐車料金との差額である支払駐車料金を支払わせる駐車料金精算手段と、を備えるものとした。
【００１０】
上記本発明の構成により、車両が駐車場に入場した時刻である入場時刻から駐車料金を精算する時刻である精算時刻までの経過時間と前記入場時刻から前記精算時刻までに店舗または営業所で提供された商品または役務とに応じて駐車料金を算出する。精算を完了した前記駐車料金である支払済駐車料金を前記駐車料金を精算した都度に更新する。前記駐車料金を精算するために前記支払済駐車料金が前記駐車料金より多いときは前記支払済駐車料金と前記駐車料金との差額である返却駐車料金を返却し前記支払済駐車料金が前記駐車料金より少ないときは前記支払済駐車料金と前記駐車料金との差額である支払駐車料金を支払わせる。その結果として、複数の店舗または営業所で商品または役務を提供された後で駐車料金を精算する際に、車両を駐車場に入場した以降の全ての店舗または営業所で支払った利用者使用金額に応じた割引サービスを提供することをできる。
【００１１】
上記目的を達成するため、本発明に係る複数の店舗または営業所に関連づけられ車両を駐車させる駐車場を管制する駐車場管制方法を、車両が駐車場に入場した時刻である入場時刻から駐車料金を精算する時刻である精算時刻までの経過時間に応じて決定される正規駐車料金から前記入場時刻から前記精算時刻までに発生した店舗または営業所で提供された商品または役務の対価である利用者使用金額の合計額に応じて決定される割引額を差し引いた駐車料金を算出する駐車料金算出行程と、精算を完了した前記駐車料金である支払済駐車料金を前記駐車料金を精算した都度に更新する支払済駐車料金更新行程と、精算を完了した前記駐車料金に係る前記割引額を前記駐車料金を精算した都度に更新する割引額更新行程と、車両が駐車場から出場した際の前記割引額である確定割引額を各々の店舗または各々の営業所で発生した前記利用者使用金額に応じて店舗または営業所を事業として実施する者である運営主体毎に分配する割引額分配行程と、前記駐車料金を精算するために前記支払済駐車料金が前記駐車料金より多いときは前記支払済駐車料金と前記駐車料金との差額である返却駐車料金を返却し前記支払済駐車料金が前記駐車料金より少ないときは前記支払済駐車料金と前記駐車料金との差額である支払駐車料金を支払わせる駐車料金精算行程と、を備えるものとした。
【００１２】
上記目的を達成するため、本発明に係る複数の店舗または営業所に関連づけられ車両を駐車させる駐車場を管制する駐車場管制プログラムを、駐車場を管制するコンピュータに、車両が駐車場に入場した時刻である入場時刻から駐車料金を精算する時刻である精算時刻までの経過時間に応じて決定される正規駐車料金から前記入場時刻から前記精算時刻までに発生した店舗または営業所で提供された商品または役務の対価である利用者使用金額の合計額に応じて決定される割引額を差し引いた駐車料金を算出する駐車料金算出機能と、精算を完了した前記駐車料金である支払済駐車料金を前記駐車料金を精算した都度に更新する支払済駐車料金更新機能と、精算を完了した前記駐車料金に係る前記割引額を前記駐車料金を精算した都度に更新する割引額更新機能と、車両が駐車場から出場した際の前記割引額である確定割引額を各々の店舗または各々の営業所で発生した前記利用者使用金額に応じて店舗または営業所を事業として実施する者である運営主体毎に分配する割引額分配機能と、前記駐車料金を精算するために前記支払済駐車料金が前記駐車料金より多いときは前記支払済駐車料金と前記駐車料金との差額である返却駐車料金を返却し前記支払済駐車料金が前記駐車料金より少ないときは前記支払済駐車料金と前記駐車料金との差額である支払駐車料金を支払わせる駐車料金精算機能と、を実現させるものとした。
【００１３】
上記目的を達成するため、本発明に係る複数の店舗または営業所に関連づけられ車両を駐車させる駐車場を管制する駐車場管制装置を、車両が駐車場に入場した時刻である入場時刻から駐車料金を精算する時刻である精算時刻までの経過時間に応じて決定される正規駐車料金から前記入場時刻から前記精算時刻までに発生した店舗または営業所で提供された商品または役務の対価である利用者使用金額の合計額に応じて決定される割引額を差し引いた駐車料金を算出する駐車料金算出手段と、精算を完了した前記駐車料金である支払済駐車料金を前記駐車料金を精算した都度に更新する支払済駐車料金更新手段と、精算を完了した前記駐車料金に係る前記割引額を前記駐車料金を精算した都度に更新する割引額更新手段と、車両が駐車場から出場した際の前記割引額である確定割引額を各々の店舗または各々の営業所で発生した前記利用者使用金額に応じて店舗または営業所を事業として実施する者である運営主体毎に分配する割引額分配手段と、前記駐車料金を精算するために前記支払済駐車料金が前記駐車料金より多いときは前記支払済駐車料金と前記駐車料金との差額である返却駐車料金を返却し前記支払済駐車料金が前記駐車料金より少ないときは前記支払済駐車料金と前記駐車料金との差額である支払駐車料金を支払わせる駐車料金精算手段と、を備えるものとした。
【００１４】
上記本発明の構成により、車両が駐車場に入場した時刻である入場時刻から駐車料金を精算する時刻である精算時刻までの経過時間に応じて決定される正規駐車料金から前記入場時刻から前記精算時刻までに発生した店舗または営業所で提供された商品または役務の対価である利用者使用金額の合計額に応じて決定される割引額を差し引いた駐車料金を算出する。精算を完了した前記駐車料金である支払済駐車料金を前記駐車料金を精算した都度に更新する。精算を完了した前記駐車料金に係る前記割引額を前記駐車料金を精算した都度に更新する。車両が駐車場から出場した際の前記割引額である確定割引額を各々の店舗または各々の営業所で発生した前記利用者使用金額に応じて店舗または営業所を事業として実施する者である運営主体毎に分配する。前記駐車料金を精算するために前記支払済駐車料金が前記駐車料金より多いときは前記支払済駐車料金と前記駐車料金との差額である返却駐車料金を返却し前記支払済駐車料金が前記駐車料金より少ないときは前記支払済駐車料金と前記駐車料金との差額である支払駐車料金を支払わせる。その結果、複数の店舗または営業所で商品または役務を提供された後で駐車料金を精算する際に、車両を駐車場に入場した以降の全ての店舗または営業所で支払った利用者使用金額に応じた割引サービスを提供することをでき、割引額を店舗毎または営業所毎で支払われた利用者使用金額に応じて、運営主体に負担させることを可能とする。
【発明の効果】
【００１５】
以上説明したように本発明に係る複数の店舗または営業所に関連づけられ車両を駐車させる駐車場を管制する駐車場管制装置と駐車場管制方法と駐車場管制プログラムは、その構成により、以下の効果を有する。
店舗または営業所に関連づけられた駐車場で駐車料金の精算をする際に、駐車場に入場して以降に提供された商品または役務と入場時刻から精算時刻までの経過時間とを基に駐車料金を決定し、駐車場に入場して以降に支払った支払済駐車料金との差額を返却または徴収して駐車料金を支払う様にしたので、複数の店舗または営業所で商品または役務を提供された場合に、各々の店舗または営業所で利用者使用金額を精算する都度に、駐車料金を精算でき、さらに車両を駐車場に入場した以降の全ての店舗または営業所で支払った利用者使用金額に応じた割引サービスを提供することをできる。
店舗または営業所に関連づけられた駐車場で駐車料金の精算をする際に、前記入場時刻以降に支払った全部の利用者使用金額を基に割引額を決定し、入場時刻から精算時刻までの経過時間を基に決定した正規駐車料金から割引額を差し引いて駐車料金を決定し、入場時刻以降に支払った支払済駐車料金との差額を返却または徴収して駐車料金を支払う様にし、車両を駐車場から出場した際の駐車料金に係る割引額を複数の運営主体の間で各々で支払った利用者使用金額に応じて分配する様にしたので、複数の店舗または営業所で商品または役務を提供された後で駐車料金を精算する際に、車両を駐車場に入場した以降の全ての店舗または営業所で支払った利用者使用金額に応じた割引サービスを提供することをでき、割引額を店舗毎または営業所毎で支払われた利用者使用金額に応じて、運営主体に負担させることを可能とする。
従って、簡易な構成で、割引した駐車料金を精算することをできる駐車場管制装置と駐車場管制方法と駐車場管制プログラムとを提供できる。
【発明を実施するための最良の形態】
【００１６】
以下に、本発明に実施形態に係る駐車場管制方法を説明する。
【００１７】
本発明の実施形態に係る駐車場管制方法は、前記駐車料金精算行程が店舗または営業所で提供された商品または役務の対価である利用者使用金額を精算する際に同時に実行される、
上記実施形態の構成により、店舗または営業所で利用者使用金額を精算すると、自動的に駐車場に入場した以降に支払った利用者使用金額を考慮した駐車料金を精算できる。
【００１８】
本発明の実施形態に係る駐車場管制プログラムは、前記駐車料金精算機能を店舗または営業所で提供された商品または役務の対価である利用者使用金額を精算する際に同時に実現させる
上記実施形態の構成により、店舗または営業所で利用者使用金額を精算すると、自動的に駐車場に入場した以降に支払った利用者使用金額を考慮した駐車料金を精算できる。
【００１９】
本発明の実施形態に係る駐車場管制装置は、前記駐車料金精算手段が、店舗または営業所で提供された商品または役務の対価である利用者使用金額を精算する精算端末機である。
上記実施形態の構成により、店舗または営業所で利用者使用金額を精算すると、自動的に駐車場に入場した以降に支払った利用者使用金額を考慮した駐車料金を精算できる。
【００２０】
以下、本発明を実施するための最良の形態を、図面を参照して説明する。なお、各図において、共通する部分には同一の符号を付し、重複した説明を省略する。
【００２１】
最初に、本発明の実施形態に係る駐車場管制装置を、図を基に、説明する。
駐車場管制装置は、駐車場管制方法を実施する装置である。
図１は、本発明の実施形態に係る駐車場管制装置のシステム図である。図２は、本発明の実施形態に係る駐車場管制方法のフローチャート図その１である。図３は、本発明の実施形態に係る駐車場管制方法のフローチャート図その２である。図４は、本発明の実施形態に係る駐車場管制方法のフローチャート図その３である。
【００２２】
最初に、駐車場管制方法を実行する駐車場管制装置の構成を説明する。
駐車場管制装置は、複数の店舗または営業所に関連づけられ車両を駐車させる駐車場を管制する装置である。
例えば、駐車場管制装置は、駐車場管制方法を実行する。
例えば、駐車場管制装置は、駐車場管制プログラムにより各種の機能を実行する駐車場管制コンピュータである。
駐車場管制コンピュータは、複数のコンピュータが連携して作動し、駐車場管制方法を実施する。
駐車場管制装置１０は、統合管理システム１１と複数の精算端末機Ａ１２と複数の精算端末機Ｂ１３と精算端末機Ｃ管理システム１４と複数の精算端末Ｃ１５と駐車場管理システム１６と駐車券発券機１７と事前精算機１８と出口精算機１９とで構成される。
【００２３】
統合管理システム１１は、複数の異なる精算システムと駐車場管理システムを統合管理するシステムである。
例えば、統合管理システム１１は、ＣＰＵと内部メモリと外部記憶機器と外部入出力機器とキーボードと表示機器とを持ったコンピュータである。
例えば、統合管理システム１１の外部入出力機器が、複数の精算端末機Ａ１２と複数の精算端末機Ｂ１３と精算端末機Ｃ管理システム１４と駐車場管理システム１６と通信可能である。
【００２４】
精算端末機Ａ１２は、利用者使用金額と駐車料金とを精算することのできる端末機である。
利用者使用金額は、店舗または営業所で提供された商品または役務の対価である。
例えば、精算端末機Ａ１２は、ＰОＳ端末である。ＰОＳ端末は、駐車料金を精算する機能を付加されている。例えば、駐車券の読み取り装置が精算端末機Ａ１２に接続されている。
【００２５】
精算端末機Ｂ１３は、利用者使用金額と駐車料金を精算することのできる端末機である。
例えば、精算端末機Ｂ１３は、列車の改札等で用いるデポジットカードやクレジットカードやデビットカードで精算することのできる精算端末機である。例えば、カードの読み取り装置が、駐車券を読み取ることをできる。
例えば、精算端末機Ｂ１３は、バスの料金精算機である。
例えば、精算端末機Ｂ１３は、列車の改札等で用いるＩＣ機能付カードを読み取ることをできる。また、列車の改札口で駐車料金を精算する際に、改札機が駐車券からデータを読み取ることをできる。
【００２６】
精算端末機Ｃ管理システム１４は、精算端末機を集中管理することのできる管理システムである。
複数の精算端末機Ｃ１５が、精算端末機Ｃ管理システム１４と通信をしている。
【００２７】
駐車場管理システム１６は、駐車場を管理するシステムである。
駐車券発券機１７は、駐車場に入場した車両の駐車券を発行する機器である。
事前精算機１８は、駐車券を用いて駐車料金を精算できる専用機器である。
出口精算機１９は、駐車場の出口に設けられ駐車料金を精算できる専用機器である。
また、事前精算機１８は、駐車券を用いて駐車料金を精算できる専用機器である。
また、例えば、出口精算機１９が、列車の運賃の精算に用いるＩＣ機能付きカードを読み取ることをできる。利用者は、ＩＣ機能付きカードを駐車券発券機１７のカード挿入口に挿入し、返却されたＩＣ機能付きカードを受け取って駐車場へ入場する。車両を駐車した後で、駅に向かい、列車を利用する。列車を利用した後で改札口を出る際に、ＩＣ機能付きカードで運賃の精算と駐車料金の精算とを行なう。駐車場を出る際に、出口精算機１９へＩＣ機能付きカードを挿入し、ＩＣ機能付きカードを取得した後で駐車場から車両を出場させる。
また、統合管理システム１１と駐車場管理システム１６とが通信可能であれば、統合管理システム１１と精算端末機Ａ１２，Ｂ１３とが通信不能であってもよい。精算端末機Ａ１２，Ｂ１３での駐車料金の精算処理を完了した後、統合管理システムへ送信することになっている情報を駐車券に記録する。駐車場出口に設置された出口精算機１９に駐車券を挿入すると、駐車券に記録された情報を統合管理システムへ送信する。この様にすると、統合管理システム１１と精算端末機Ａ１２，Ｂ１３とが通信不能である構成の場合でも、統合管理システム１１は、必要な情報を入手できる。
【００２８】
以下に、本発明の実施形態に係る駐車場管制方法を、図を基に、説明する。
駐車場管制方法は、複数の店舗または営業所に関連づけられ車両を駐車させる駐車場を管制する方法である。
駐車場管制方法は、駐車料金算出行程Ｓ１０と駐車料金精算行程Ｓ２０と支払済駐車料金更新行程Ｓ３０と割引額更新行程Ｓ４０とデータ記録行程Ｓ５０と精算集計処理工程Ｓ６０と割引額分配行程Ｓ７０とで構成される。
【００２９】
駐車料金算出行程Ｓ１０は、経過時間と店舗または営業所で提供された商品または役務とに応じて駐車料金を算出する行程である。
たとえば、駐車料金算出行程Ｓ１０は、経過時間と入場時刻から精算時刻までに発生した利用者使用金額の合計額とに応じて駐車料金を算出する。
経過時間は、入場時刻から精算時刻までに経過する時間である。
入場時刻は、車両が駐車場に入場した時刻である。例えば、入場時刻は、車両が駐車場の入口で駐車券を発行される時刻である。
精算時刻は、駐車料金を精算する時刻である。例えば、精算時刻は、精算端末機に駐車券を読み込ませた時刻である。複数回だけ精算端末機に駐車券を読み込ませると、その度ごとに精算時刻が生ずる。
利用者使用金額は、店舗または営業所で提供された商品または役務の対価である。
例えば、駐車料金算出行程Ｓ１０は、正規駐車料金から割引額を差し引いた駐車料金を算出する。正規駐車料金は、経過時間に応じて決定される料金である。割引額は、利用者使用金額の合計額に応じて決定される料金である。
また、駐車料金は、店舗または営業所で提供された商品または役務に対して予め設定された金額であってもよい。例えば、「病院を利用する人のための駐車場に駐車した場合に、病院で治療を受けた場合に、一定時間（例えば、５時間）までは一定の額（例えば１００円）の駐車料金とする」といった駐車場割引サービスがある。
【００３０】
例えば、駐車料金算出行程Ｓ１０は、駐車券データ読み取り行程Ｓ１１と精算時刻設定行程Ｓ１２とデータダウンロード行程Ｓ１３と正規駐車料金算出行程Ｓ１４と割引額算出行程Ｓ１５と駐車料金算出行程Ｓ１６とで構成される。
【００３１】
駐車券データ読み取り行程Ｓ１１は、駐車券から駐車券情報を読み取る行程である。
駐車券情報は、入場時刻、駐車場割引サービス情報、支払済駐車料金、その他を含む情報である。
入場時刻は、車両が駐車場に入場した時刻である。例えば、入場時刻は、駐車券発券機１７が駐車券を発券した時刻である。
駐車場割引サービス情報は、駐車料金算出用媒体ＩＤと割引額と利用者使用金額とを含む情報である。  駐車料金算出用媒体ＩＤは、駐車券に固有の番号である駐車券番号、または駐車場に入場した時に登録したＩＤである。
割引額は、精算を完了した駐車料金に係る割引額である。割引額は、後述する割引額更新行程Ｓ４０により更新される。
利用者使用金額は、店舗または営業所で提供された商品または役務の対価である。
支払済駐車料金は、精算を完了した駐車料金である。支払済駐車料金は、後述する支払済駐車料金更新行程Ｓ３０で更新される。
【００３２】
精算時刻設定行程Ｓ１２は、精算時刻を設定する行程である。
精算時刻は、駐車料金を精算する時刻である。
例えば、精算時刻は、精算端末機１２，１３，１５または事前精算機１８、出口精算機１９が駐車券を受け付けた時刻である。
【００３３】
データダウンロード行程Ｓ１３は、統合管理システム１１から駐車券情報をダウンロードする行程である。
例えば、駐車券情報のうち、駐車券に記録していない情報を統合管理システム１１からダウンロードする。
【００３４】
正規駐車料金算出行程Ｓ１４は、駐車券情報と精算時刻とから正規駐車料金を算出する行程である。
正規駐車料金は、割引サービスを受けていない駐車料金である。
例えば、車両が駐車場に入場した時刻である入場時刻から駐車料金を精算する時刻である精算時刻までの経過時間に応じて正規駐車料金を決定する。
例えば、正規駐車料金は、経過時間が長くなるに従って段階的に高額になる料金である。
【００３５】
割引額算出行程Ｓ１５は、割引額を算出する行程である。
割引額は、割引サービスにより正規駐車料金から差し引く金額である。
例えば、入場時刻から精算時刻までに発生した店舗または営業所で提供された商品または役務の対価である利用者使用金額の合計額に応じて割引額を決定する。
例えば、割引額は、利用者使用金額の総合計額が大きくなるに従って、段階的に高額になる料金である。
【００３６】
駐車料金算出行程Ｓ１６は、駐車料金を算出する行程である。
例えば、正規駐車料金から割引額を差し引いた金額を駐車料金とする。
【００３７】
駐車料金精算行程Ｓ２０は、駐車料金を精算する行程である。
駐車料金精算行程Ｓ２０は、駐車料金を精算するために、支払済駐車料金が駐車料金より多いときは支払済駐車料金と駐車料金との差額である返却駐車料金を返却し、支払済駐車料金が駐車料金より少ないときは支払済駐車料金と駐車料金との差額である支払駐車料金を支払わせる行程である。
すなわち、
返却駐車料金＝支払済駐車料金−駐車料金
支払駐車料金＝駐車料金−支払済駐車料金
である。
従って、駐車料金を精算した際に、過不足なく駐車料金の精算をすることをできる。
また、駐車料金精算行程Ｓ２０が、店舗または営業所での利用者使用金額を精算する際に同時に実行されてもよい。
また、店舗または営業所にある利用者使用金額を精算する精算端末が、駐車料金精算行程Ｓ２０を実行しても良い。
【００３８】
駐車料金精算行程Ｓ２０は、駐車料金比較行程Ｓ２１と駐車料金返却行程Ｓ２２と駐車料金徴収行程Ｓ２３とで構成される。
駐車料金比較行程Ｓ２１は、支払済駐車料金から駐車料金を差し引いた値が正か負かを判断する。
支払済駐車料金から駐車料金を差し引いた値が正であるときに、駐車料金返却行程Ｓ２２を実行する。
支払済駐車料金から駐車料金を差し引いた値が負であるときに、駐車料金徴収行程Ｓ２３を実行する。
【００３９】
駐車料金返却行程Ｓ２２は、返却駐車料金を返却する行程である。
返却駐車料金は以下の式で計算される金額である。
返却駐車料金＝支払済駐車料金−駐車料金
例えば、返却駐車料金に相当する現金を返却する。
例えば、同時に利用者使用金額を精算するときに、利用者使用金額から返却駐車料金を差し引いた金額を徴収する。
【００４０】
駐車料金徴収行程Ｓ２３は、支払駐車料金を徴収する行程である。
支払駐車料金は、以下の式で計算される金額である。
支払駐車料金＝駐車料金−支払済駐車料金
例えば、支払駐車料金に相当する金額の支払いを求める。
例えば、利用者使用金額を同時に精算するときに、利用者使用金額に支払駐車料金を加算した金額を徴収する。
【００４１】
支払済駐車料金更新行程Ｓ３０は、精算を完了した駐車料金である支払済駐車料金を駐車料金を精算した都度に更新する行程である。
駐車料金の精算を完了すると、支払済駐車料金を駐車料金に相当する金額で置き換える。
例えば、駐車料金精算行程Ｓ２０を実行した後で、支払済駐車料金を駐車料金に相当する金額で置き換えて記録する。
【００４２】
割引額更新行程Ｓ４０は、精算を完了した駐車料金に係る割引額を駐車料金を精算した都度に更新する行程である。
駐車料金の精算を完了すると、割引額を新たな割引額に相当する金額で置き換える。
例えば、駐車料金精算行程Ｓ２０を実行した後で、割引額を新たな割引額に相当する金額で置き換えて記録する。
【００４３】
データ記録行程Ｓ５０は、駐車料金を精算する都度に駐車券情報を記録する行程である。
データ記録行程Ｓ５０は、駐車券データ記録行程Ｓ５１とデータアップロード行程Ｓ５２と精算端末機データ記録行程Ｓ５３とで構成される。
【００４４】
駐車券データ記録行程Ｓ５１は、駐車券に精算データと駐車券割引サービス情報とを記録する行程である。
【００４５】
データアップロード行程Ｓ５２は、統合管理システム１１に精算データと駐車券割引サービス情報とをアップロードする行程である。
統合管理システム１１は、精算データと駐車券割引サービス情報とを精算データベースＤ１０に記録する。
【００４６】
精算端末機データ記録行程Ｓ５３は、精算処理を行なった精算端末機に精算データを記録する行程である。
【００４７】
以下に、精算端末機で駐車料金に関する金銭の授受を行なわない場合の処理を説明する。
精算端末機で返却駐車料金を返却しない場合は、支払済駐車料金更新行程Ｓ３０と割引額更新行程Ｓ４０とを実施せず、データ記録行程Ｓ５０を行なう。
この様にすると、新たに付与された駐車場割引サービス情報の更新のみを行なえる。
精算端末機で支払駐車料金を徴収しない場合は、支払済駐車料金更新行程Ｓ３０と割引額更新行程Ｓ４０とを実施せず、データ記録行程Ｓ５０を行なう。
この様にすると、新たに付与された駐車場割引サービス情報の更新のみを行なえる。
【００４８】
精算集計処理行程Ｓ６０は、統合管理システムに繋がった複数の精算端末機システムから精算データを集計するタイミングを制御する処理である。
精算集計処理行程Ｓ６０は、精算集計指令入力行程Ｓ６１と今回精算集計時刻設定行程Ｓ６２と精算集計結果作成行程Ｓ６３と精算集計結果送信行程Ｓ６４と精算集計時刻置換行程Ｓ６５とで構成される。
【００４９】
精算集計指令入力行程Ｓ６１は、統合管理システム１１が複数の精算端末管理システムに所定のタイミングで精算集計指令を与える行程である。
精算端末管理システムは、固有の精算タイミングで精算集計をおこなっている。
統合管理システム１１は、各々の精算端末管理システム毎の所定のタイミングを設定されている。所定のタイミングは、精算端末管理システムが精算タイミングで精算集計する手続きと干渉しない様に設定されている。
【００５０】
今回精算集計時刻設定行程Ｓ６２は、精算集計する時刻を今回精算集計時刻として設定する。
例えば、精算集計指令を入力した後に、今回精算集計時刻を設定する。
【００５１】
精算集計結果作成行程Ｓ６３は、精算集計結果を作成する行程である。
精算端末機の内部に記録していた前回精算集計時刻と今回精算集計時刻との間の精算データに関する精算集計結果を作成する。
例えば、前回精算集計時刻と今回精算集計時刻との間の全ての精算データを精算集計結果として、集計する。
また、例えば、精算件数、支払済駐車料金の合計金額、返却駐車料金の合計金額、利用者使用金額の合計金額を精算集計結果として集計する。この様にすると、データの量を少なくすることができる。
【００５２】
精算集計結果送信行程Ｓ６４は、複数の精算端末から統合管理システム１１へ、精算端末ＩＤ、今回精算集計時刻、前回精算集計時刻、精算集計結果をアップロードする行程である。
【００５３】
精算集計時刻置換行程Ｓ６５は、前回精算集計時刻を今回精算集計時刻で置き換える行程である。
【００５４】
割引額分配行程Ｓ７０は、車両が駐車場から出場した際の割引額である確定割引額を各々の店舗または各々の営業所で発生した利用者使用金額に応じて複数の運営主体毎に分配する行程である。
運営主体は、店舗または営業所を事業として実施する者である。
割引額分配行程Ｓ７０は、確定駐車場割引サービス情報集計行程Ｓ７１と精算端末毎集計行程Ｓ７２と運営主体毎集計行程Ｓ７３とで構成される。
【００５５】
確定駐車場割引サービス情報集計行程Ｓ７１は、確定駐車場割引サービス情報を集計する行程である。
確定駐車場割引サービス情報は、駐車場から出場した車両に関する駐車場割引サービス情報である。
例えば、駐車場割引サービス情報から駐車場から出場した車両に関するものを抽出して確定駐車場割引サービス情報とし、確定駐車場割引サービス情報を確定駐車場割引サービス情報データベースＤ４０に記録する。
【００５６】
精算端末毎集計行程Ｓ７２は、確定駐車場割引サービス情報を精算端末毎に集計する。
例えば、確定駐車場割引サービス情報を精算端末毎に分けて複数の精算端末機精算集計をまとめて、各々の精算端末機精算集計を各々の精算端末Ｎ精算集計データベース（Ｎ＝１、２、−−−）に記録する。
【００５７】
運営主体毎集計行程Ｓ７３は、確定駐車場割引サービス情報を運営主体毎に集計する行程である。
例えば、精算端末Ｎ精算集計データベースを運営主体毎にまとめて、各々の運営実割引駐車料金を運営Ｎ実割引駐車料金データベース（Ｎ＝１、２、−−−）に記録する。
【００５８】
次に、本発明の実施形態に係る駐車場管制方法が使用する統合管理システムデータベースを、図を基に、説明する。
図５は、本発明の実施形態に係る駐車場管制のデータベース構造図その１である。図６は、本発明の実施形態に係る駐車場管制のデータベース構造図その２である。
駐車場管制データべースは、精算データベースＤ１０と精算端末機Ｎ精算集計データベースＤ２０（Ｎ＝１、２、−−−）と駐車場売上確定精算集計データベースＤ３０と確定駐車場割引サービス情報データベースＤ４０と精算端末機Ｎ確定駐車場割引サービス情報データベースＤ５０（Ｎ＝１、２、−−−）と運営Ｎ実割引駐車料金データベースＤ６０（Ｎ＝１、２、−−−）と精算集計結果データベースＤ７０とを含む。
【００５９】
精算データベースＤ１０は、精算端末からアップロードされた精算データを格納するデータベースである。
【００６０】
精算端末機Ｎ精算集計データベースＤ２０（Ｎ＝１、２、−−−）は、精算データベースのうち、精算時刻が前回精算時刻以降であって今回精算時刻の前であって、Ｎで特定される精算端末ＩＤに関する精算データを格納したものである。
精算端末機Ｎ精算集計データベースＤ２０（Ｎ＝１、２、−−−）は、精算端末機から精算端末ＩＤ、今回精算集計時刻、前回精算集計時刻を受信した後で、精算データベースＤ１０を基にして作成される。
【００６１】
駐車場売上確定精算集計データベースＤ３０は、駐車場からの出場が確認された車両の駐車料金算出用媒体ＩＤに関連する精算データが格納される。
駐車場売上確定精算集計データベースＤ３０は、精算端末機Ｎ精算集計データベースＤ２０（Ｎ＝１、２、−−−）から、駐車場からの出場が確認された車両の駐車料金算出用媒体ＩＤに関連する精算データを抽出して生成される。
【００６２】
確定駐車場割引サービス情報データベースＤ４０は、駐車場から出場した車両に関する駐車場割引サービス情報を格納する。
確定駐車場割引サービス情報データベースＤ４０は、車両が駐車場から出場した際に、出口精算機１９と事前精算機１８とから送信される駐車場割引サービス情報を集計して生成される。
【００６３】
精算端末機Ｎ確定駐車場割引サービス情報データベースＤ５０（Ｎ＝１、２、−−−）は、駐車場から出場した車両に関する割引額を利用者使用金額に応じて精算端末に分配された割引額を含む駐車場割引サービス情報を格納する。
精算端末機Ｎ確定駐車場割引サービス情報データベースＤ５０（Ｎ＝１、２、−−−）は、確定駐車場割引サービス情報データベースＤ４０から、駐車場割引サービス情報毎に、駐車料金に係る割引額を精算端末毎の利用者使用金額に基づき分配し集計して生成される。
【００６４】
運営Ｎ実割引駐車料金データベースＤ６０（Ｎ＝１、２、−−−）は、運営主体毎に分配された割引額を含む駐車場割引サービス情報を格納する。
【００６５】
精算集計結果データベースＤ７０は、精算端末から受信した精算集計結果が格納される。
【実施例】
【００６６】
以下に、上述した割引額分配行程を実行した際の実施例を、図を基に、説明する。
図７は、本発明の実施形態に係る駐車場管制の実施例である。
【００６７】
確定駐車場割引サービス情報データベースＤ４０に格納されたデータ中において、駐車料金算出用媒体（例えば、駐車券）が番号１００である車両の出場時の割引額が１０００円であって、精算端末１での利用者使用金額と精算端末２での利用者使用金額と精算端末３での利用者使用金額とが、１０００円、７０００円、２０００円である。
割引額分配行程を実施することにより、確定割引額が分配される。
【００６８】
夫々の精算端末Ｎ確定駐車場割引サービス情報データベース（Ｎ＝１、２、３）Ｄ５０において、Ｎ＝１の精算端末において１００円、Ｎ＝２の精算端末において７００円、Ｎ＝３の精算端末において２００円の確定割引額が分配される。
分配された確定割引額は、駐車場から出場した車両に関して記録された割引額を各々の店舗または各々営業所で発生した利用者使用金額の比率に応じて按分されたものである。
【００６９】
次に、本発明の実施形態に係る駐車場管制プログラムを説明する。
駐車場管制プログラムは、駐車場を管制するコンピュータに、駐車料金算出機能と駐車料金精算機能と支払済駐車料金更新機能と割引額更新行程機能とデータ記録機能と精算集計処理工程機能と割引額分配機能とを実行させるプログラムである。
【００７０】
駐車場管制プログラムが駐車場を管制するコンピュータに駐車料金算出機能と駐車料金精算機能と支払済駐車料金更新機能と割引額更新行程機能とデータ記録機能と精算集計処理工程機能と割引額分配機能とを実行することにより、駐車場管制装置が駐車料金算出行程と駐車料金精算行程と支払済駐車料金更新行程と割引額更新行程行程とデータ記録行程と精算集計処理工程行程と割引額分配行程とを実施できる。
駐車料金算出行程と駐車料金精算行程と支払済駐車料金更新行程と割引額更新行程行程とデータ記録行程と精算集計処理工程行程と割引額分配行程は、駐車場管制方法のものと同じなので、説明を省略する。
駐車料金精算機能が店舗または営業所での前記利用者使用金額を精算する際に同時に実行されてもよい。
【００７１】
次に、本発明の実施形態に係る駐車場管制装置は、駐車料金算出手段と駐車料金精算手段と支払済駐車料金更新手段と割引額更新手段とデータ記録手段と精算集計処理手段と割引額分配手段とで構成される。
駐車料金算出手段は、駐車料金算出行程を実施する装置である。
駐車料金精算手段は、駐車料金精算行程を実施する装置である。
支払済駐車料金更新手段は、支払済駐車料金更新行程を実施する装置である。
割引額更新手段は、割引額更新行程を実施する装置である。
データ記録手段は、データ記録行程を実施する装置である。
精算集計処理手段は、精算集計処理行程を実施する装置である。
割引額分配手段は、割引額分配行程を実施する装置である。
駐車料金算出行程と駐車料金精算行程と支払済駐車料金更新行程と割引額更新行程行程とデータ記録行程と精算集計処理工程行程と割引額分配行程は、駐車場管制方法のものと同じなので、説明を省略する。
駐車料金精算手段が、店舗または営業所での利用者使用金額を精算する精算端末機であってもよい。
【００７２】
上述の実施形態の駐車場管制装置と駐車場管制方法と駐車場管制プログラムとを用いれば、以下の効果を発揮する。
店舗または営業所に関連づけられた駐車場で駐車料金の精算をする際に、駐車場に入場して以降に支払った利用者使用金額の合計額と入場時刻から精算時刻までの経過時間とを基に駐車料金を決定し、駐車場に入場して以降に支払った支払済駐車料金との差額を返却または徴収して駐車料金を支払う様にしたので、複数の店舗または営業所で商品または役務を提供された場合に、各々の店舗または営業所で利用者使用金額を精算する都度に、駐車料金を精算でき、さらに車両を駐車場に入場した以降の全ての店舗または営業所で支払った利用者使用金額に応じた割引サービスを提供することをできる。
また、店舗または営業所に関連づけられた駐車場で駐車料金の精算をする際に、駐車場に入場して以降に支払った利用者使用金額の合計額を基に割引額を決定し、入場時刻から精算時刻までの経過時間を基に決定した正規駐車料金から割引額を差し引いて駐車料金を決定し、駐車場に入場して以降に支払った支払済駐車料金との差額を返却または徴収して駐車料金を支払う様にし、車両を駐車場から出場した際の割引額を複数の運営主体の間で各々で支払った利用者使用金額に応じて分配する様にしたので、複数の店舗または営業所で商品または役務を提供された後で駐車料金を精算する際に、車両を駐車場に入場した以降の全ての店舗または営業所で支払った利用者使用金額に応じた割引サービスを提供することをでき、割引額を店舗毎または営業所毎で支払われた利用者使用金額に応じて、運営主体に負担させることを可能とする。
また、店舗または営業所で提供された商品または役務の対価を支払うと同時に、駐車場に入場して以降に支払った支払済駐車料金との差額を返却または徴収するので、利用者に余計な負担をかけることなく駐車料金の精算をすることをできる。
また、店舗または営業所で提供された商品または役務の対価を支払う精算端末で、駐車場に入場して以降に支払った支払済駐車料金との差額を返却または徴収するので、利用者に余計な負担をかけることなく駐車料金の精算をすることをできる。
また、統合管理システムが、複数の精算端末に固有の精算タイミングで精算集計指令を与える様にしたので、異なるシステムで作動している精算端末から円滑に精算データを集計できる。
【００７３】
本発明は以上に述べた実施形態に限られるものではなく、発明の要旨を逸脱しない範囲で各種の変更が可能である。
【図面の簡単な説明】
【００７４】
【図１】本発明の実施形態に係る駐車場管制装置のシステム図である。
【図２】本発明の実施形態に係る駐車場管制のフローチャート図その１である。
【図３】本発明の実施形態に係る駐車場管制のフローチャート図その２である。
【図４】本発明の実施形態に係る駐車場管制のフローチャート図その３である。
【図５】本発明の実施形態に係る駐車場管制のデータベース構造図その１である。
【図６】本発明の実施形態に係る駐車場管制のデータベース構造図その２である。
【図７】本発明の実施形態に係る駐車場管制の実施例である。
【符号の説明】
【００７５】
１０    駐車場管制装置
１１    統合管理システム
１２    精算端末機Ａ
１３    精算端末機Ｂ
１４    精算端末機Ｃ管理システム
１５    精算端末機Ｃ
１６    駐車場管理システム
１７    駐車券発券機
１８    事前精算機
１９    出口精算機
Ｓ１０    駐車料金算出行程
Ｓ１１    駐車券データ読み取り行程
Ｓ１２    精算時刻設定行程
Ｓ１３    データダウンロード行程
Ｓ１４    正規駐車料金算出行程
Ｓ１５    割引額算出行程
Ｓ１６    駐車料金算出行程
Ｓ２０    駐車料金精算行程
Ｓ２１    駐車料金比較行程
Ｓ２２    駐車料金返却行程
Ｓ２３    駐車料金徴収行程
Ｓ３０    支払済駐車料金更新行程
Ｓ４０    割引額更新行程
Ｓ５０    データ記録行程
Ｓ５１    駐車券データ記録行程
Ｓ５２    データアップロード行程
Ｓ５３    精算端末機データ記録行程
Ｓ６０    精算集計処理行程
Ｓ６１    精算集計指令入力行程
Ｓ６２    今回精算集計時刻設定行程
Ｓ６３    精算集計結果作成行程
Ｓ６４    精算集計結果送信行程
Ｓ６５    精算集計時刻置換行程
Ｓ７０    割引額分配行程
Ｓ７１    確定駐車場割引サービス情報集計行程
Ｓ７２    精算端末毎集計行程
Ｓ７３    運営主体毎集計行程
Ｄ１０    精算データベース
Ｄ２０    精算端末機Ｎ精算集計データベース
Ｄ３０    駐車場売上確定精算集計データベース
Ｄ４０    確定駐車場割引サービス情報データベース
Ｄ５０    精算端末機Ｎ確定駐車場割引サービス情報データベース
Ｄ６０    運営Ｎ実割引駐車料金データベース
Ｄ７０    精算集計結果データベース
【図１】
2006236168.tif 000003
【図２】
2006236168.tif 000004
【図３】
2006236168.tif 000005
【図４】
2006236168.tif 000006
【図５】
2006236168.tif 000007
【図６】
2006236168.tif 000008
【図７】
2006236168.tif 000009